(57)【要約】【課題】複数種類の通信手段からユーザの所在に応じて通信手段を選択し、人為的な操作無しに通信手段の切替え動作を実現させ、利便性と安全性の向上を図り得る携帯通信端末装置及びプログラムを実現させること。【解決手段】公衆無線通信回線網に接続するための公衆回線用モジュール１５と、構内無線通信回線網に接続するための構内回線用モジュール１６と、を備えた携帯電話機１において、当該携帯電話機１が構内と構外の境界に位置する出入り口に設けられた入退場ゲート装置から送信される情報を受信し、その情報に基づいて入場情報又は退場情報を保持し、そこから読み出される入場情報又は退場情報に応じて公衆回線用モジュール１５又は構内回線用モジュール１６のいずれか一方を選択する制御手段を備えた携帯電話機１。【選択図】図２
2010200353.tif 000002
【特許請求の範囲】
【請求項１】
公衆無線通信回線網に接続するための公衆回線用送受信手段と、構内無線通信回線網に接続するための構内回線用送受信手段と、を有する携帯通信端末装置において、
当該携帯通信端末装置が構内と構外の境界に位置する出入り口に設けられた入退場ゲート装置から送信される情報を受信し、その情報に基づいて入場情報又は退場情報を保持する保持手段と、
当該携帯通信端末装置が前記構内無線通信回線網の範囲内にあるか否かを判別する第１の判別手段と、
前記保持手段から読み出される情報が退場情報であるにも関わらず、前記第１の判別手段によって前記構内無線通信回線網の範囲内にあると判別された場合に、前記構内回線用送受信手段が選択されているか否かを判別する第２の判別手段と、
前記保持手段から読み出される前記入場情報又は退場情報と、前記第１の判別手段によって判別された判別結果に応じて前記公衆回線用送受信手段又は構内回線用送受信手段のいずれか一方を選択する回線選択手段と、
を備え、
前記回線選択手段は、
前記第２の判別手段によって前記構内回線用送受信手段が選択されていると判別された場合、前記構内無線通信回線網の使用を禁止して、前記公衆回線用送受信手段を選択すること、
を特徴とする携帯通信端末装置。
【請求項２】
前記回線選択手段は、
前記保持手段が入場情報を保持している場合、
前記第１の判別手段によって当該携帯通信端末装置が前記構内無線通信回線網の範囲内にあると判別されたとき、前記構内回線用送受信手段を前記公衆回線用送受信手段よりも優先して選択し、
前記第１の判別手段によって当該携帯通信端末装置が前記構内無線通信回線網の範囲内にないと判別されたとき、前記公衆回線用送受信手段を選択すること、
を特徴とする請求項１に記載の携帯通信端末装置。
【請求項３】
前記公衆回線用送受信手段が選択された状態が、
前記保持手段が退場情報を保持しているにも関わらず、前記第１の判別手段によって前記構内無線通信回線網の範囲内にあると判別された場合に、前記構内無線通信回線網の使用を禁止して、前記公衆回線用送受信手段が選択された状態であるか否かを判別する第３の判別手段を更に備え、
前記回線選択手段は、
前記公衆回線用送受信手段による通信が終了されたと判別された際に、前記第３の判別手段によって前記構内無線通信回線網の使用を禁止して、前記公衆回線用送受信手段が選択されている状態であると判別された場合、
前記公衆無線通信回線網の使用を中止し、前記構内回線用送受信手段を選択すること、
を特徴とする請求項１に記載の携帯通信端末装置。
【請求項４】
当該携帯通信端末装置が前記公衆無線通信回線網の範囲内にあるか否かを判別する第４の判別手段を更に備え、
前記回線選択手段は、
前記保持手段が退場情報を保持している場合、
前記第４の判別手段によって当該携帯通信端末装置が前記公衆無線通信回線網の範囲内にあると判別されたとき、前記公衆回線用送受信手段を選択すること、
を特徴とする請求項１に記載の携帯通信端末装置。
【請求項５】
公衆無線通信回線網に接続するための公衆回線用送受信手段と、構内無線通信回線網に接続するための構内回線用送受信手段と、を有する携帯通信端末装置において、
当該携帯通信端末装置が構内と構外の境界に位置する出入り口に設けられた入退場ゲート装置から送信される情報を受信し、その情報に基づいて入場情報又は退場情報を保持する保持手段と、
当該携帯通信端末装置が前記構内無線通信回線網の範囲内にあるか否かを判別する第１の判別手段と、
通信相手先情報と当該通信相手先情報に応じて外線電話番号情報又は内線電話番号情報の少なくとも一方を有する電話番号データ群が記憶されている記憶手段と、
前記記憶手段に記憶されている電話番号データ群から通信相手先を指定して発信する場合、前記保持手段から読み出される前記入場情報又は退場情報と、前記第１の判別手段によって判別された判別結果に応じて前記外線電話番号情報又は前記内線電話番号情報のいずれか一方を選択する電話番号選択手段と、
を備え、
前記電話番号選択手段は、
前記保持手段が入場情報を保持している場合、
前記第１の判別手段によって当該携帯通信端末装置が前記構内無線通信回線網の範囲内にあると判別され、かつ、前記記憶手段に内線番号情報が記憶されているとき、前記内線電話番号情報を選択し、
前記第１の判別手段によって当該携帯通信端末装置が前記構内無線通信回線網の範囲内にあると判別され、かつ、前記記憶手段に内線番号情報が記憶されていないとき、前記外線電話番号情報を選択し、
前記第１の判別手段によって当該携帯通信端末装置が前記構内無線通信回線網の範囲内にないと判別されたとき、前記外線電話番号情報を選択すること、
を特徴とする携帯通信端末装置。
【請求項６】
前記電話番号選択手段は、
前記保持手段が退場情報を保持している場合、
前記外線電話番号情報を選択すること、
を特徴とする請求項５に記載の携帯通信端末装置。
【請求項７】
前記外線電話番号情報又は前記内線電話番号情報のいずれか一方が選択された場合、前記外線電話番号情報又は前記内線電話番号情報が選択されたことを表示する表示手段を備えること、
を特徴とする請求項５または６に記載の携帯通信端末装置。
【請求項８】
公衆無線通信回線網又は構内無線通信回線網と接続可能な携帯通信端末装置に設けられたコンピュータを、
前記公衆無線通信回線網に接続するための公衆回線用送受信手段と、
前記構内無線通信回線網に接続するための構内回線用送受信手段と、
当該携帯通信端末装置が構内と構外の境界に位置する出入り口に設けられた入退場ゲート装置から送信される情報を受信し、その情報に基づいて入場情報又は退場情報を保持する保持手段と、
当該携帯通信端末装置が前記構内無線通信回線網の範囲内にあるか否かを判別する第１の判別手段と、
前記保持手段から読み出される情報が退場情報であるにも関わらず、前記第１の判別手段によって前記構内無線通信回線網の範囲内にあると判別された場合に、前記構内回線用送受信手段が選択されているか否かを判別する第２の判別手段と、
前記保持手段から読み出される前記入場情報又は退場情報と、前記第１の判別手段によって判別された判別結果に応じて前記公衆回線用送受信手段又は構内回線用送受信手段のいずれか一方を選択する回線選択手段と、
として機能させるとともに、
前記回線選択手段は、
前記第２の判別手段によって前記構内回線用送受信手段が選択されていると判別された場合、前記構内無線通信回線網の使用を禁止して、前記公衆回線用送受信手段を選択する、
ように機能させるためのプログラム。
【請求項９】
公衆無線通信回線網又は構内無線通信回線網と接続可能な携帯通信端末装置に設けられたコンピュータを、
前記公衆無線通信回線網に接続するための公衆回線用送受信手段と、
前記構内無線通信回線網に接続するための構内回線用送受信手段と、
当該携帯通信端末装置が構内と構外の境界に位置する出入り口に設けられた入退場ゲート装置から送信される情報を受信し、その情報に基づいて入場情報又は退場情報を保持する保持手段と、
当該携帯通信端末装置が前記構内無線通信回線網の範囲内にあるか否かを判別する第１の判別手段と、
通信相手先情報と当該通信相手先情報に応じて外線電話番号情報又は内線電話番号情報の少なくとも一方を有する電話番号データ群が記憶されている記憶手段と、
前記記憶手段に記憶されている電話番号データ群から通信相手先を指定して発信する場合、前記保持手段から読み出される前記入場情報又は退場情報と、前記第１の判別手段によって判別された判別結果に応じて前記外線電話番号情報又は前記内線電話番号情報のいずれか一方を選択する電話番号選択手段と、
として機能させるとともに、
前記電話番号選択手段は、
前記保持手段が入場情報を保持している場合、
前記第１の判別手段によって当該携帯通信端末装置が前記構内無線通信回線網の範囲内にあると判別され、かつ、前記記憶手段に内線番号情報が記憶されているとき、前記内線電話番号情報を選択し、
前記第１の判別手段によって当該携帯通信端末装置が前記構内無線通信回線網の範囲内にあると判別され、かつ、前記記憶手段に内線番号情報が記憶されていないとき、前記外線電話番号情報を選択し、
前記第１の判別手段によって当該携帯通信端末装置が前記構内無線通信回線網の範囲内にないと判別されたとき、前記外線電話番号情報を選択する、
ように機能させるためのプログラム。
【発明の詳細な説明】
【技術分野】
【０００１】
本発明は、複数種類の無線通信回線網と接続可能な携帯通信端末装置及びプログラムに関する。
【背景技術】
【０００２】
携帯電話機やＰＨＳ電話機、或いは携帯用パーソナルコンピュータ等の携帯通信端末装置は、公衆無線通信回線網の基地局（公衆基地局）を介して通信を行うための通信手段（回線モジュール）と、予め設定された建物又は敷地内（構内）に設けられた構内無線通信回線網の基地局（アクセスポイント）を介して通信を行うための回線モジュールとを有し公衆無線通信回線又は構内無線通信回線のいずれか一方を選択して通信可能な機能を備えている。
【０００３】
例えば、発信が行われる際、事業者モードが設定され発信番号が外線電話番号であるとき、予め設定された外線発信手順に従って発信する簡易型携帯電話端末（特許文献１参照）、公衆回線又は構内回線の公衆基地局のＩＤの取得し、取得したＩＤに基づいて公衆回線又は構内回線のうちいずれかと通信可能であるかを判定し、判定結果に応じて通信可能な電話番号を表示させる通信端末装置（特許文献２参照）、公衆電話網の電話番号で発信された場合、まず事務所モードで発信動作を行い、通信が確立できない場合には、公衆モードにて発信動作を行う携帯端末装置（特許文献３参照）が開示されている。
【先行技術文献】
【特許文献】
【０００４】
【特許文献１】特開平７−３０７７８１号公報
【特許文献２】特開平１１−２５２２７６号公報
【特許文献３】特開２００２−２３２５５１号公報
【発明の概要】
【発明が解決しようとする課題】
【０００５】
しかしながら、上記のような従来の携帯通信端末装置は、発信者の所在を確認せずに、構内無線通信回線網又は公衆無線通信回線網と通信可能であるか否かによって公衆無線通信回線網又は構内無線通信回線網の通信手段の選択を行うものであり、構内の範囲よりも構内無線通信の範囲が大きい場合が多く、外線発信を行う場合、構外であっても構内無線通信回線網が選択され、所定の外線発信処理（例えば、０発信）が必要となってしまう。また、内線電話は、本来、構内のみで利用されるべきものだが、構外にいながら内線電話番号への発信が可能となる場合が生じ、構内のみしか繋がらない通信相手先と直接通信が可能となり、セキュリティ上の問題が生じる。
【０００６】
また、通信相手先によっては、公衆無線通信回線網上において携帯通信端末装置毎に割当てられた識別番号としての外線電話番号及び構内無線通信回線網上において携帯通信端末装置毎に割当てられた内線電話番号の両方を有する場合や、外線電話番号のみ有する場合がある。通信相手先に対応する識別番号として外線電話番号及び内線電話番号の両方が存在する場合、ユーザが当該通信相手先に対して発信を行う場合、現在使用可能な無線通信回線網は、公衆無線通信回線網又は構内無線通信回線網であるか否かを意識して選択する操作が必要となり、ユーザにとって煩雑な作業となっている。
【０００７】
本発明の課題は、複数種類の通信手段からユーザの所在に応じて通信手段を選択し、人為的な操作無しに通信手段の切替え動作を実現させ、利便性と安全性の向上を図り得る携帯通信端末装置及びプログラムを実現させることである。
【課題を解決するための手段】
【０００８】
請求項１に記載の発明は、
公衆無線通信回線網に接続するための公衆回線用送受信手段と、構内無線通信回線網に接続するための構内回線用送受信手段と、を有する携帯通信端末装置において、
当該携帯通信端末装置が構内と構外の境界に位置する出入り口に設けられた入退場ゲート装置から送信される情報を受信し、その情報に基づいて入場情報又は退場情報を保持する保持手段と、
当該携帯通信端末装置が前記構内無線通信回線網の範囲内にあるか否かを判別する第１の判別手段と、
前記保持手段から読み出される情報が退場情報であるにも関わらず、前記第１の判別手段によって前記構内無線通信回線網の範囲内にあると判別された場合に、前記構内回線用送受信手段が選択されているか否かを判別する第２の判別手段と、
前記保持手段から読み出される前記入場情報又は退場情報と、前記第１の判別手段によって判別された判別結果に応じて前記公衆回線用送受信手段又は構内回線用送受信手段のいずれか一方を選択する回線選択手段と、
を備え、
前記回線選択手段は、
前記第２の判別手段によって前記構内回線用送受信手段が選択されていると判別された場合、前記構内無線通信回線網の使用を禁止して、前記公衆回線用送受信手段を選択すること、
を特徴とする。
更に、コンピュータに対して、上述した請求項１に記載の発明に示した主要手段を機能させるためのプログラムを提供する（請求項８に記載の発明）。
【０００９】
請求項２に記載の発明は、請求項１に記載の携帯通信端末装置において、
前記回線選択手段は、
前記保持手段が入場情報を保持している場合、
前記第１の判別手段によって当該携帯通信端末装置が前記構内無線通信回線網の範囲内にあると判別されたとき、前記構内回線用送受信手段を前記公衆回線用送受信手段よりも優先して選択し、
前記第１の判別手段によって当該携帯通信端末装置が前記構内無線通信回線網の範囲内にないと判別されたとき、前記公衆回線用送受信手段を選択すること、
を特徴とする。
【００１０】
請求項３に記載の発明は、請求項１に記載の携帯通信端末装置において、
前記公衆回線用送受信手段が選択された状態が、
前記保持手段が退場情報を保持しているにも関わらず、前記第１の判別手段によって前記構内無線通信回線網の範囲内にあると判別された場合に、前記構内無線通信回線網の使用を禁止して、前記公衆回線用送受信手段が選択された状態であるか否かを判別する第３の判別手段を更に備え、
前記回線選択手段は、
前記公衆回線用送受信手段による通信が終了されたと判別された際に、前記第３の判別手段によって前記構内無線通信回線網の使用を禁止して、前記公衆回線用送受信手段が選択されている状態であると判別された場合、
前記公衆無線通信回線網の使用を中止し、前記構内回線用送受信手段を選択すること、
を特徴とする。
【００１１】
請求項４に記載の発明は、請求項１に記載の携帯通信端末装置において、
当該携帯通信端末装置が前記公衆無線通信回線網の範囲内にあるか否かを判別する第４の判別手段を更に備え、
前記回線選択手段は、
前記保持手段が退場情報を保持している場合、
前記第４の判別手段によって当該携帯通信端末装置が前記公衆無線通信回線網の範囲内にあると判別されたとき、前記公衆回線用送受信手段を選択すること、
を特徴とする。
【００１２】
請求項５に記載の発明は、
公衆無線通信回線網に接続するための公衆回線用送受信手段と、構内無線通信回線網に接続するための構内回線用送受信手段と、を有する携帯通信端末装置において、
当該携帯通信端末装置が構内と構外の境界に位置する出入り口に設けられた入退場ゲート装置から送信される情報を受信し、その情報に基づいて入場情報又は退場情報を保持する保持手段と、
当該携帯通信端末装置が前記構内無線通信回線網の範囲内にあるか否かを判別する第１の判別手段と、
通信相手先情報と当該通信相手先情報に応じて外線電話番号情報又は内線電話番号情報の少なくとも一方を有する電話番号データ群が記憶されている記憶手段と、
前記記憶手段に記憶されている電話番号データ群から通信相手先を指定して発信する場合、前記保持手段から読み出される前記入場情報又は退場情報と、前記第１の判別手段によって判別された判別結果に応じて前記外線電話番号情報又は前記内線電話番号情報のいずれか一方を選択する電話番号選択手段と、
を備え、
前記電話番号選択手段は、
前記保持手段が入場情報を保持している場合、
前記第１の判別手段によって当該携帯通信端末装置が前記構内無線通信回線網の範囲内にあると判別され、かつ、前記記憶手段に内線番号情報が記憶されているとき、前記内線電話番号情報を選択し、
前記第１の判別手段によって当該携帯通信端末装置が前記構内無線通信回線網の範囲内にあると判別され、かつ、前記記憶手段に内線番号情報が記憶されていないとき、前記外線電話番号情報を選択し、
前記第１の判別手段によって当該携帯通信端末装置が前記構内無線通信回線網の範囲内にないと判別されたとき、前記外線電話番号情報を選択すること、
を特徴とする。
更に、コンピュータに対して、上述した請求項６に記載の発明に示した主要手段を機能させるためのプログラムを提供する（請求項９に記載の発明）。
【００１３】
請求項６に記載の発明は、請求項５に記載の携帯通信端末装置において、
前記電話番号選択手段は、
前記保持手段が退場情報を保持している場合、
前記外線電話番号情報を選択すること、
を特徴とする。
【００１４】
請求項７に記載の発明は、請求項５または６に記載の携帯通信端末装置において、
前記外線電話番号情報又は前記内線電話番号情報のいずれか一方が選択された場合、前記外線電話番号情報又は前記内線電話番号情報が選択されたことを表示する表示手段を備えること、
を特徴とする。
【発明の効果】
【００１５】
本発明によれば、公衆回線用送受信手段又は構内回線用送受信手段の切替え動作を実現させる際に、ユーザに対する利便性の向上を図るとともに、安全性を向上させることができる。
【図面の簡単な説明】
【００１６】
【図１】図１（ａ）に携帯電話機１の正面図、図１（ｂ）に携帯電話機１の背面図が示された本実施の形態１における携帯通信端末装置としての携帯電話機１の外観である。
【図２】本実施の形態１における携帯電話機１の内部構成である。
【図３】本実施の形態１における回線モジュール選択処理である。
【図４】本実施の形態１における回線モジュール選択処理である（図３の続き）。
【図５】本実施の形態２における携帯電話機２の内部構成である。
【図６】記憶部２１に記憶されている電話帳２２の一例である。
【図７】本実施の形態２における電話番号選択処理である。
【図８】本実施の形態２における電話番号選択処理である（図７の続き）。
【発明を実施するための形態】
【００１７】
以下、図１〜８を参照しながら、本発明に係る携帯通信端末装置を説明する。本発明の実施の形態では、携帯通信端末装置として、無線通信回線網を利用した小型で持ち運びができる携帯電話機に適用した場合について説明する。
【００１８】
[実施の形態１]
以下、本発明の実施の形態１を詳細に説明する。
まず、構成を説明する。
図１に、本実施の形態１における携帯通信端末装置としての携帯電話機１の外観を示す。図１（ａ）に携帯電話機１の正面図を示し、図１（ｂ）に携帯電話機１の背面図を示す。図１（ａ）、（ｂ）に示すように、携帯電話機１は、ユーザに画像で情報を表示するメイン表示部１３１及びサブ表示部１３２、ユーザからの操作指示を受け付ける操作ボタン群１４１、公衆回線用アンテナ１５１及び構内回線用アンテナ１６１が内蔵されているアンテナ部Ａ、非接触ＩＣ（Integrated Circuit）用アンテナ１７１、音を入力するマイク１８ａ及び音を出力するスピーカ１８ｂ等を備える。
【００１９】
図２に、本実施の形態１における携帯電話機１の内部構成を示す。図２に示すように、携帯電話機１は、ＣＰＵ（Central Processing Unit）１０、記憶部１１、表示部１３、操作部１４、公衆回線用モジュール１５、構内回線用モジュール１６、非接触ＩＣ部１７、マイク１８ａ、スピーカ１８ｂ等により構成され、各部はバス１９等により電気的に接続されている。
【００２０】
ＣＰＵ１０は、記憶部１１に記憶されている各種制御プログラムを読み出し、記憶部１１内に形成されたワークエリアに展開し、携帯電話機１の各部を統括的に制御する。
【００２１】
ＣＰＵ１０は、記憶部１１との協働によって、本実施の形態１を実現させるために、記憶部１１から回線モジュール選択プログラムや必要なデータを読出して記憶部１１に展開し、後述する非接触ＩＣ部１７が保持している入場情報又は退場情報に応じて、公衆回線用モジュール１５又は構内回線用モジュール１６のいずれか一方を選択する回線モジュール選択処理を行う制御手段であり回線選択手段である。
【００２２】
記憶部１１は、読み書き可能な不揮発性の記憶媒体であり、各種初期設定、ハードウェアの検査、あるいは必要なプログラムを読込むための初期プログラムや、携帯電話機１の動作に係る各種機能を実現させるためのデータや各種制御プログラム、本発明を実現させるためのプログラムとしての回線モジュール選択プログラム及び必要なデータを記憶しており、ＣＰＵ１０により実行される各種プログラム、各処理において処理中のデータ、処理結果などを一時的に記憶するワークエリアを形成する。
【００２３】
なお、記憶部１１としては、ＮＯＲ型フラッシュメモリ、ＮＡＮＤ型フラッシュメモリ等のデータの消去及び書込みを自由に行うことができる不揮発性の各種フラッシュメモリや、擬似ＳＲＡＭ等を組み合わせて用いることができる。
【００２４】
表示部１３は、ＬＣＤ（Liquid Crystal Display）やＥＬＤ（Electroluminescence Display）等からなるメイン表示部１３１、サブ表示部１３２等により構成され、ＣＰＵ１０から入力される表示信号の指示に従って、メイン表示部１３１、サブ表示部１３２上に、各種操作画面等の各種情報を表示する表示手段である。
【００２５】
操作部１４は、操作ボタン群１４１等により構成され、ユーザによって押下された操作ボタン群１４１等からの押下信号をＣＰＵ１０に出力する。
【００２６】
公衆回線用モジュール１５は、公衆回線用アンテナ１５１等を備え、ＣＰＵ１０から入力される指示に基づき、公衆回線用アンテナ１５１を介して公衆無線通信回線網上の基地局（公衆基地局）との間で無線通信を行う公衆回線用送受信手段であり、ＣＰＵ１０との協働により通話処理とメール送受信処理が実現される。
【００２７】
構内回線用モジュール１６は、構内回線用アンテナ１６１等を備え、ＣＰＵ１０から入力される指示に基づき、構内回線用アンテナ１６１を介して構内無線通信回線網上の基地局（アクセスポイント）との間で無線通信を行う構内回線用送受信手段であり、ＣＰＵ１０との協働により通話処理とメール送受信処理が実現される。
【００２８】
以下、公衆回線用モジュール１５及び構内回線用モジュールを総称して回線モジュールという。
【００２９】
通話処理は、着呼を示す信号を選択された公衆回線用モジュール１５又は構内回線用モジュールのいずれか一方の公衆回線用アンテナ１５１又は構内回線用アンテナ１６１が受信した場合、着信音をスピーカ１８ｂから出力させる通話着信処理と、発呼を示す信号が操作ボタン群１４１から入力された場合、選択された電話番号への発信を行い、公衆基地局又はアクセスポイントとの間で無線通信回線を形成する通話発信処理と、受信した音声信号等に基づく音信号を増幅及び復調してスピーカ１８ｂに出力させるとともに、マイク１８ａから入力された音声信号に基づく音データを公衆基地局又はアクセスポイントに送信する通話中継処理とを有する。
【００３０】
メール送受信処理は、選択された公衆回線用モジュール１５又は構内回線用モジュールのいずれか一方の公衆回線用アンテナ１５１又は構内回線用アンテナ１６１がメールサーバ等から文字データや画像データ等を含むメールデータの配信を示す信号を受信した場合、メールデータの受信を行い、受信したメールデータを表示部１３に出力し、また、ユーザにより作成されたメールデータをメールサーバ等へ送信する。
【００３１】
非接触ＩＣ部１７は、入退場ゲート装置３０と入場情報、退場情報、各種データ等の送受信を行うための非接触ＩＣ用アンテナ１７１、非接触ＩＣ部１７内部を制御する専用のＣＰＵ１７２、データやプログラム等を保持する不揮発性の記憶媒体としての記憶部１７３、リーダ／ライタ（Ｒ／Ｗ）モジュール１７４、その他図示しないインターフェース等を備え、入退場ゲート装置３０との無線通信を行う。入退場ゲート装置３０との無線通信により、入場情報又は退場情報を受信し、記憶部１７３内に入場情報又は退場情報を保持する非接触ＩＣ手段である。
【００３２】
入場情報とは、予め設定された敷地又は建物外（構外）から当該予め設定された敷地又は建物内（構内）に携帯電話機１を備えるユーザが入ってきたこと（入場状態）を示す情報であり、ユーザの所在が構内であることを示す。退場情報とは、構内から構外に携帯電話機１を備えるユーザが出ていったこと（退場状態）を示す情報であり、ユーザの所在が構外であることを示す。
【００３３】
入退場ゲート装置３０は、構内と構外の境界に位置する出入り口に設けられ、非接触ＩＣ部１７と各種データの送受信を行う装置であり、出入り口を通過する方向に応じてユーザが構内において入場状態又は退場状態であるか否かを示す入場情報又は退場情報を非接触ＩＣ部１７に送信する。入退場ゲート装置３０は、アンテナ、リーダ／ライタ（Ｒ／Ｗ）モジュールの他、ＣＰＵ、記憶部、出入り口を通過する方向に基づいて入場状態又は退場状態を検出する入退場検出部等を備えている。
【００３４】
マイク１８ａは、Ａ／Ｄ変換部を備えており、ユーザの送話音声をＡ／Ｄ変換し、音声信号としてＣＰＵ１０に出力する。
【００３５】
スピーカ１８ｂは、Ｄ／Ａ変換部を備えており、ＣＰＵ１０から入力される音信号や着信音、操作確認音等の音データをＤ／Ａ変換して出力する。
【００３６】
次に、本実施の形態１の動作を説明する。
図３及び４に、本実施の形態１における回線モジュール選択処理を示す。当該処理及びその処理において実行される各処理は、ＣＰＵ１０と記憶部１１に記憶されたプログラム及びデータとの協働によるソフトウェア処理により実現される。
【００３７】
なお、図３及び４に示される回線モジュール選択処理は、携帯電話機１に電源が供給されている間において、実行されるものである。
【００３８】
まず、非接触ＩＣ部１７から、入退場情報が読み出され（ステップＳ１）、退場状態を示す退場情報であるか否かが判別される（ステップＳ２）。退場情報でないと判別された場合（即ち、入場状態である場合）（ステップＳ２；Ｎｏ）、ステップＳ１２に進む。
【００３９】
退場情報であると判別された場合（即ち、退場状態である場合）（ステップＳ２；Ｙｅｓ）、公衆回線用モジュール１５が用いられて接続可能な公衆基地局の検出が実行され（ステップＳ３）、公衆基地局の有無が判別される（ステップＳ４）。公衆基地局が無いと判別された場合（ステップＳ４；Ｎｏ）、公衆無線通信回線網の範囲外（圏外）となり通信が不可能であるため、ステップＳ９に進む。
【００４０】
公衆基地局が有ると判別された場合（ステップＳ４；Ｙｅｓ）、無線通信回線として公衆無線通信回線を使用する公衆回線用モジュール１５が選択され（ステップＳ５）、公衆回線用モジュール１５が選択された旨が表示部１３に指示され、メイン表示部１３１又はサブ表示部１３２に公衆回線用モジュール１５が選択されたことが文字又は記号等による標識又は二次元画像として表示される（ステップＳ６）。
【００４１】
ユーザは、メイン表示部１３１又はサブ表示部１３２に公衆回線用モジュール１５が選択されたことが表示されることにより、公衆無線通信回線網の範囲内（公衆圏内）であると視認することができる。
【００４２】
そして、公衆回線用アンテナ１５１を介して着呼を示す信号を受信又は発呼を示す信号が操作ボタン群１４１から入力されたか否か、又は公衆回線用アンテナ１５１を介してメールデータの配信を示す信号を受信又はユーザにより作成されたメールデータをメールサーバ等へ送信する指示が操作ボタン群１４１から入力されたか否か（発着信の信号の有無）が判別される（ステップＳ７）、発着信の信号が有りと判別された場合（ステップＳ７；Ｙｅｓ）、通話処理又はメール送受信処理（発着信処理）が実行され（ステップＳ８）、ステップＳ３に戻る。
【００４３】
発着信の信号が無しと判別された場合（ステップ７；Ｎｏ）又は公衆基地局無しと判別された場合（ステップＳ４；Ｎｏ）、操作ボタン群１４１から通話処理又はメール送信処理以外の操作指示が入力されたか否かが判別され（ステップＳ９）、操作指示有りと判別された場合（ステップＳ９；Ｙｅｓ）、操作指示に対応するアプリケーション等の処理が実行され（ステップＳ１０）、ステップＳ３に戻る。
【００４４】
操作指示無しと判別された場合（ステップＳ９；Ｎｏ）、再度、非接触ＩＣ部１７から入退場情報が読み出され、入退場情報に変化が有るか否かが判別され（ステップＳ１１）、入退場情報に変化が無いと判別された場合（ステップＳ１１；Ｎｏ）、ステップＳ３に戻り、入退場情報に変化が有りと判別された場合（ステップＳ１１；Ｙｅｓ）、ステップＳ１に戻る。
【００４５】
このように、ユーザが退場状態には、公衆回線用モジュールのみ選択可能であり公衆無線通信回線網のみによって発着信処理が行われるため、ユーザが入場状態となる前に構内無線通信回線網による発着信が可能となってしまうという問題を解消することができ、安全性を向上させることができる。
【００４６】
次に、ステップＳ２において、退場情報でないと判別された場合（即ち、入場状態である場合）（ステップＳ２；Ｎｏ）、構内回線用モジュール１６が用いられて接続可能なアクセスポイントの検出が実行され（ステップＳ１２）、アクセスポイントの有無が判別される（ステップＳ１３）。
【００４７】
アクセスポイントが有ると判別された場合（ステップＳ１３；Ｙｅｓ）、無線通信回線として構内無線通信回線を使用する構内回線用モジュール１６が選択され（ステップＳ１４）、構内回線用モジュール１６が選択された旨が表示部１３に指示され、メイン表示部１３１又はサブ表示部１３２に構内回線用モジュール１６が選択されたことが文字又は記号等による標識又は二次元画像として表示され（ステップＳ１５）、ステップＳ２０に進む。
【００４８】
ユーザは、メイン表示部１３１又はサブ表示部１３２に構内回線用モジュール１６が選択されたことが表示されることにより、構内無線通信回線網の範囲内（構内圏内）であると視認することができる。
【００４９】
ところで、ユーザが入場状態には、構内無線通信回線網を用いて発着信処理が行われるものとするが、アクセスポイントの設置位置等により入場状態であってもアクセスポイントとの接続可能な範囲外である場合が想定されるため、入場状態であってアクセスポイントとの接続が不可である場合に限り、公衆無線通信回線を通信回線として選択する構成とする。このことにより、接続状態を安定して確保することができ、利便性を向上させることができる。
【００５０】
アクセスポイントが無いと判別された場合、即ち、入場状態であるが、構内アクセスポイントとの通信可能な範囲外に携帯電話機１が位置すると判別された場合（ステップＳ１３；Ｎｏ）、公衆回線用モジュール１５が用いられて公衆基地局の検出が実行され（ステップＳ１６）、公衆基地局の有無が判別される（ステップＳ１７）。公衆基地局が無いと判別された場合（ステップＳ１７；Ｎｏ）、構内無線通信回線網の範囲外かつ公衆無線通信回線網の範囲外（圏外）となり通信が不可能であるため、ステップＳ２２に進む。
【００５１】
公衆基地局が有ると判別された場合（ステップＳ１７；Ｙｅｓ）、無線通信回線として公衆無線通信回線を使用する公衆回線用モジュール１５が選択され（ステップＳ１８）、公衆回線用モジュール１５が選択された旨が表示部１３に指示され、メイン表示部１３１又はサブ表示部１３２に公衆回線用モジュール１５が選択されたことが文字又は記号等による標識又は二次元画像として表示され（ステップＳ１９）、ステップＳ２０に進む。
【００５２】
そして、ステップＳ１５又はステップＳ１９後、選択された構内回線用アンテナ１６１又は公衆回線用アンテナ１５１を介して着呼を示す信号を受信又は発呼を示す信号が操作ボタン群１４１から入力されたか否か、又は選択された構内回線用アンテナ１６１又は公衆回線用アンテナ１５１を介してメールデータの配信を示す信号を受信又はユーザにより作成されたメールデータをメールサーバ等へ送信する指示が操作ボタン群１４１から入力されたか否か（発着信の信号の有無）が判別される（ステップＳ２０）、発着信の信号が有りと判別された場合（ステップＳ２０；Ｙｅｓ）、通話処理又はメール送受信処理（発着信処理）が実行され（ステップＳ２１）、ステップＳ１２に戻る。
【００５３】
発着信の信号が無しと判別された場合（ステップＳ２０；Ｎｏ）又は公衆基地局無しと判別された場合（ステップＳ１７；Ｎｏ）、操作ボタン群１４１から通話処理又はメール送信処理以外の操作指示が入力されたか否かが判別され（ステップＳ２２）、操作指示有りと判別された場合（ステップＳ２２；Ｙｅｓ）、操作指示に対応するアプリケーション等の処理が実行され（ステップＳ２３）、ステップＳ１２に戻る。
【００５４】
操作指示無しと判別された場合（ステップＳ２２；Ｎｏ）、再度、非接触ＩＣ部１７から入退場情報が読み出され、入退場情報に変化が有るか否かが判別され（ステップＳ２４）、入退場情報に変化が無いと判別された場合（ステップＳ２４；Ｎｏ）、ステップＳ１２に戻り、入退場情報に変化が有りと判別された場合（ステップＳ２４；Ｙｅｓ）、ステップＳ１に戻る。
【００５５】
このように、本実施の形態１によれば、ユーザの所在に応じて公衆回線用モジュール又は構内回線用モジュールのいずれか一方を選択し、人為的な操作無しに公衆回線用モジュール又は構内回線用モジュールの切替え動作を実現させることができ、利便性と安全性の向上を図り得る携帯電話機１を実現させることができる。
また、入退場ゲート装置３０から送信される入場情報又は退場情報を受信し保持する非接触ＩＣ部１７を備えることにより容易に携帯電話機１が構内又は構外であるか否かを判別することができ、入場情報又は退場情報の判別を行う事で公衆回線用モジュール又は構内回線用モジュールのいずれか一方を選択することができるため、装置構成の簡素化と制御付加を低減させることができる。
【００５６】
[実施の形態２]
以下、本発明の実施の形態２を詳細に説明する。
まず、構成を説明する。
本実施の形態２における携帯通信端末装置としての携帯電話機の外観は、実施の形態１の携帯電話機１の外観と略同じ外観であるため、図示及び説明は省略する。
【００５７】
図５に、本実施の形態２における携帯電話機２の内部構成を示す。
図５に示すように、携帯電話機２は、ＣＰＵ（Central Processing Unit）２０、記憶部２１、表示部１３、操作部１４、公衆回線用モジュール１５、構内回線用モジュール１６、非接触ＩＣ部１７、マイク１８ａ、スピーカ１８ｂ等により構成され、各部はバス１９等により電気的に接続されている。実施の形態１と同様の部位には、同様の符号を付し、説明は省略する。
【００５８】
ＣＰＵ２０は、記憶部２１に記憶されている各種制御プログラムを読み出し、記憶部２１内に形成されたワークエリアに展開し、携帯電話機２の各部を統括的に制御する。
【００５９】
ＣＰＵ２０は、記憶部２１との協働によって、本実施の形態２を実現させるために、記憶部２１から電話番号選択プログラムや必要なデータを読出して記憶部２１内展開し、記憶部２１に記憶されている電話帳２２から通信相手先を指定して発信する場合、非接触ＩＣ部１７が保持している入場情報又は退場情報に応じて、電話帳２２内の外線電話番号情報又は内線電話番号情報を選択する電話番号選択処理を行う制御手段であり電話番号選択手段である。
【００６０】
記憶部２１は、読み書き可能な不揮発性の記憶媒体であり、各種初期設定、ハードウェアの検査、あるいは必要なプログラムを読込むための初期プログラムや、携帯電話機２の動作に係る各種機能を実現させるためのデータや各種制御プログラム、本発明を実現させるためのプログラムとしての電話番号選択プログラム、電話帳２２及び必要なデータを記憶しており、ＣＰＵ１０により実行される各種プログラム、各処理において処理中のデータ、処理結果などを一時的に記憶するワークエリアを形成する記憶手段である。
【００６１】
なお、記憶部２１としては、ＮＯＲ型フラッシュメモリ、ＮＡＮＤ型フラッシュメモリ等のデータの消去及び書込みを自由に行うことができる不揮発性の各種フラッシュメモリや、擬似ＳＲＡＭ等を組み合わせて用いることができる。
【００６２】
図６に、記憶部２１に記憶されている電話帳２２の一例を示す。
図６に示すように、電話帳２２は、通信相手先を示す通信相手先情報と、通信相手先情報に応じて外線電話番号を示す外電電話番号情報又は内線電話番号を示す内線電話番号情報の少なくとも一方とを有する電話番号データ群である。
【００６３】
ユーザが操作ボタン群１４１を操作することにより、記憶部２１に記憶された電話帳２２が読み出され、読み出された電話帳２２に記憶されている通信相手先情報が選択されることにより、通信相手先情報に対応する外線電話番号情報又は内線電話番号情報が選択対称となる。
【００６４】
次に、本実施の形態２の動作を説明する。
図７及び８に、本実施の形態２における電話番号選択処理を示す。当該処理及びその処理において実行される各処理は、ＣＰＵ２０と記憶部２１に記憶されたプログラム及びデータとの協働によるソフトウェア処理により実現される。
【００６５】
なお、図７及び８に示される電話番号選択処理は、携帯電話機２に電源が供給されている間において、実行されるものである。
【００６６】
まず、構内回線用モジュール１６が用いられて接続可能なアクセスポイントの検出が実行され（ステップＳ３１）、アクセスポイントの有無が判別される（ステップＳ３２）。
【００６７】
アクセスポイントが有ると判別された場合（ステップＳ３２；Ｙｅｓ）、無線通信回線として構内無線通信回線を使用する構内回線用モジュール１６が選択され（ステップＳ３３）、構内回線用モジュール１６が選択された旨が表示部１３に指示され、メイン表示部１３１又はサブ表示部１３２に構内回線用モジュール１６が選択されたことが文字又は記号等による標識又は二次元画像として表示され（ステップＳ３４）、ステップＳ３９に進む。
【００６８】
ユーザは、メイン表示部１３１又はサブ表示部１３２に構内回線用モジュール１６が選択されたことが表示されることにより、構内無線通信回線網の範囲内（構内圏内）であると視認することができる。
【００６９】
アクセスポイントが無いと判別された場合（ステップＳ３５；Ｎｏ）、公衆回線用モジュール１５が用いられて接続可能な公衆基地局の検出が実行され（ステップＳ３５）、公衆基地局の有無が判別される（ステップＳ３６）。公衆基地局が無いと判別された場合（ステップＳ３６；Ｎｏ）、構内無線通信回線網の範囲外かつ公衆無線通信回線網の範囲外（圏外）となり通信が不可能であるため、ステップＳ４２に進む。
【００７０】
公衆基地局が有ると判別された場合（ステップＳ３６；Ｙｅｓ）、無線通信回線として公衆無線通信回線を使用する公衆回線用モジュール１５が選択され（ステップＳ３７）、公衆回線用モジュール１５が選択された旨が表示部１３に指示され、メイン表示部１３１又はサブ表示部１３２に公衆回線用モジュール１５が選択されたことが文字又は記号等による標識又は二次元画像として表示され（ステップＳ３８）、ステップＳ３９に進む。
【００７１】
そして、ステップＳ３４又はステップＳ３８後、選択された構内回線用アンテナ１６１又は公衆回線用アンテナ１５１を介して着呼を示す信号が受信されたか否か、又は選択された構内回線用アンテナ１６１又は公衆回線用アンテナ１５１を介してメールデータの配信を示す信号を受信又はユーザにより作成されたメールデータをメールサーバ等へ送信する指示が操作ボタン群１４１から入力されたか否か（通話着信又はメール発着信の信号の有無）が判別される（ステップＳ３９）、通話着信又はメール発着信の信号が有りと判別された場合（ステップＳ３９；Ｙｅｓ）、通話着信処理及び通話中継処理又はメール送受信処理が実行され（ステップＳ４０）、ステップＳ３１に戻る。
【００７２】
通話着信又はメール発着信の信号が無しと判別された場合（ステップＳ３９；Ｎｏ）、発呼を示す信号が操作ボタン群１４１から入力されたか否か（通話発信操作の有無）が判別される（ステップＳ４１）。
【００７３】
通話発信操作が無しと判別された場合（ステップＳ４１；Ｎｏ）、操作ボタン群１４１から通話処理又はメール送信処理以外の操作指示が入力されたか否かが判別され（ステップＳ４２）、操作指示有りと判別された場合（ステップＳ４２；Ｙｅｓ）、操作指示に対応するアプリケーション等の処理が実行され（ステップＳ４３）、ステップＳ３１に戻り、操作指示無しと判別された場合（ステップＳ４２；Ｎｏ）、ステップＳ３１に戻る。
【００７４】
通話発信操作が有りと判別された場合（ステップＳ４１；Ｙｅｓ）、操作ボタン群１４１から電話帳２２の読出し操作指示が入力され、記憶部２１に記憶された電話帳２２が読み出されて表示部１３のメイン表示部１３１又はサブ表示部１３２に電話帳２２の情報が表示され、表示された電話帳２２に記憶された通信相手先情報の選択指示が操作ボタン群１４１から入力されたか否かが判別される（ステップＳ４４）。
【００７５】
電話帳２２に記憶された通信相手先情報の選択指示が無いと判別された場合（ステップＳ４４；Ｎｏ）、操作ボタン群１４１から通信相手先の電話番号の入力操作が行われ、選択された回線モジュールが用いられて入力された電話番号に対する通話発信処理が実行され（ステップＳ４５）、通話中継処理が実行される（ステップＳ４６）。その後、選択された回線モジュールに対応する無線通信回線網との通信状態が保持されており通信相手先との通話中継処理が継続中であるか又は終了されたかが判別され（ステップＳ４７）、通話中継処理が継続中であると判別された場合（ステップＳ４７；継続中）ステップＳ４６に戻り、通話中継処理が終了されたと判別された場合（ステップＳ４７；終了）、ステップ３１に戻る。
【００７６】
電話帳２２に記憶された通信相手先情報の選択指示が有りと判別された場合（ステップＳ４４；Ｙｅｓ）、非接触ＩＣ部１７から、入退場情報が読み出され（ステップＳ４８）、入場状態を示す入場情報であるか否かが判別される（ステップＳ４９）。入場情報でないと判別された場合（即ち、退場状態である場合）（ステップＳ４９；Ｎｏ）、ステップＳ６０に進む。
【００７７】
入場情報であると判別された場合（即ち、入場状態である場合）（ステップＳ４９；Ｙｅｓ）、構内回線用モジュール１６が選択されているか否かが判別される（ステップＳ５０）。構内回線用モジュール１６が選択されていないと判別された場合（ステップＳ５０；Ｎｏ）、ステップＳ６０に進む。
【００７８】
構内回線用モジュール１６が選択されていると判別された場合（ステップＳ５０；Ｙｅｓ）、電話帳２２が参照され、選択された通信相手先情報に対応する内線電話番号情報が有るか否かが判別される（ステップＳ５１）。
【００７９】
選択された通信相手先情報に対応する内線電話番号情報が有りと判別された場合（ステップＳ５１；Ｙｅｓ）、内線電話番号情報が示す内線電話番号が発信番号として選択され（ステップＳ５２）、内線電話番号が選択された旨が表示部１３に指示され、メイン表示部１３１又はサブ表示部１３２に内線電話番号が選択されたことが表示される（ステップＳ５３）。
【００８０】
内線電話番号が選択されたことがメイン表示部１３１又はサブ表示部１３２に表示される例としては、発信番号として選択された内線電話番号が直接表示される場合や、内線電話番号が選択された旨を文字又は記号による標識又は二次元画像として表示されてもよい。
【００８１】
このように、メイン表示部１３１又はサブ表示部１３２に内線電話番号が選択されたことが表示されることにより、通信相手先の内線電話番号に発信されることを視認させることができる。
【００８２】
選択された通信相手先情報に対応する内線電話番号情報が無しと判別された場合（ステップＳ５１；Ｎｏ）、外線電話番号情報が選択され（ステップＳ５４）、選択された外線電話番号情報が示す外線電話番号の先頭に“０”が付加され、“０”が付加された外線電話番号が発信番号として選択され（ステップＳ５５）、外線電話番号が選択された旨が表示部１３に指示され、メイン表示部１３１又はサブ表示部１３２に外線電話番号が選択されたことが表示される（ステップＳ５６）。
【００８３】
“０”が付加された外線電話番号が選択されたことがメイン表示部１３１又はサブ表示部１３２に表示される例としては、発信番号として選択された“０”が付加された外線電話番号が直接表示される場合や、“０”が付加された外線電話番号が選択された旨を文字又は記号による標識又は二次元画像として表示されてもよい。
【００８４】
このように、メイン表示部１３１又はサブ表示部１３２に“０”が付加された外線電話番号が選択されたことが表示されることにより、通信相手先の“０”が付加された外線電話番号に発信されることを視認させることができる。
【００８５】
選択された発信番号が内線電話番号又は外線電話番号である旨が表示された後（ステップＳ５３後又はステップＳ５６後）、構内回線用モジュールが用いられて選択された発信番号に対する通話発信処理が実行され（ステップＳ５７）、通話中継処理が実行される（ステップＳ５８）。その後、構内回線用ジュール１６に対応する構内無線通信回線網との通信状態が保持されており通信相手先との通話中継処理が継続中であるか又は終了されたかが判別され（ステップＳ５９）、通話中継処理が継続中であると判別された場合（ステップＳ５９；継続中）ステップＳ５８に戻り、通話中継処理が終了されたと判別された場合（ステップＳ５９；終了）、ステップ３１に戻る。
【００８６】
次に、入場情報でないと判別された場合（即ち、退場状態である場合）（ステップＳ４９；Ｎｏ）又は入場状態ではあるが構内回線用モジュール１６が選択されていないと判別された場合（ステップＳ５０；Ｎｏ）、電話帳２２が参照され、選択された通信相手先情報に対応する外線電話番号情報が示す外線電話番号が発信番号として選択され（ステップＳ６０）、外線電話番号が選択された旨が表示部１３に指示され、メイン表示部１３１又はサブ表示部１３２に外線電話番号が選択されたことが表示される（ステップＳ６１）。
【００８７】
外線電話番号が選択されたことがメイン表示部１３１又はサブ表示部１３２に表示される例としては、発信番号として選択された外線電話番号が直接表示される場合や、外線電話番号が選択された旨を文字又は記号による標識又は二次元画像として表示されてもよい。
【００８８】
このように、メイン表示部１３１又はサブ表示部１３２に外線電話番号が選択されたことが表示されることにより、通信相手先の外線電話番号に発信されることを視認させることができる。
【００８９】
ステップＳ４９の判断ステップを設けることにより、退場状態には、公衆無線通信回線網のみを用いて外線電話番号で通話発信処理が行われるため、入場状態となる前に構内無線通信回線網が用いられて内線電話番号による発着信が可能となってしまうという問題を解消することができ、安全性を向上させることができる。
【００９０】
また、ステップＳ５０の判断ステップを設けることにより、入場状態では、原則、構内無線通信回線網を用いて内線電話番号で通話発信処理が行われるものとし、例外として、ユーザの所在が、入場状態であっても構内無線通信回線網の範囲外であるため構内回線用モジュール１６が選択されず公衆回線用モジュール１５が選択される場合に限り、公衆無線通信回線を用いて外線電話番号で通話発信処理が可能とすることにより、接続状態を安定して確保することができ、利便性を向上させることができる。
【００９１】
外線電話番号が選択された旨が表示された後（ステップＳ６１後）、公衆回線用モジュール１５が選択されているか否かが判別される（ステップＳ６２）。公衆回線用モジュール１５が選択されていないと判別された場合（ステップＳ６２；Ｎｏ）、公衆回線用モジュール１５が一時選択される（ステップＳ６３）。
【００９２】
ステップＳ６２及びステップ６３は、退場状態であるにも拘わらず、構内回線用モジュール１６が選択されている場合（即ち、構内の範囲よりも構内無線通信回線網の範囲が大きい場合）を考慮するものであり、退場状態である場合には、構内無線通信回路網での通信使用を禁止する効果を奏する。
【００９３】
公衆回線用モジュール１５が選択された後（ステップＳ６２；Ｙｅｓ又はステップＳ６３後）、公衆回線用モジュール１５が用いられて選択された発信番号に対する通話発信処理が実行され（ステップＳ６４）、通話中継処理が実行される（ステップＳ６５）。その後、公衆回線用ジュール１５に対応する公衆無線通信回線網との通信状態が保持されており通信相手先との通話処理が継続中であるか又は終了されたかが判別され（ステップＳ６６）、通話中継処理が継続中であると判別された場合（ステップＳ６６；継続中）ステップＳ６５に戻る。
【００９４】
通話中継処理が終了されたと判別された場合（ステップＳ６６；終了）、ステップＳ６３において公衆回線用モジュール１５が一時選択された状態であるか否かが判別され（ステップＳ６７）、公衆回線用モジュール１５が一時選択された状態ではないと判別された場合（ステップＳ６７；Ｎｏ）、ステップＳ３１に戻る。
【００９５】
公衆回線用モジュール１５が一時選択された状態であると判別された場合（ステップＳ６７；Ｙｅｓ）、公衆回線用モジュール１５から構内回線用モジュール１６に変更され、構内回線用モジュール１６に選択された後ステップＳ３１に戻る。
【００９６】
このように、本実施の形態２によれば、ユーザの所在に応じて公衆回線用モジュール又は構内回線用モジュールのいずれか一方を選択し、人為的な操作無しに外線電話番号又は内線電話番号の切替え動作を実現させることができ、利便性と安全性が向上された携帯電話機２を実現させることができる。
また、入退場ゲート装置３０から送信される入場情報又は退場情報を受信し保持する非接触ＩＣ部１７を備えることにより容易に携帯電話機２が構内又は構外であるか否かを判別することができ、入場情報又は退場情報の判別を行う事で外線電話番号情報又は内線電話番号情報のいずれか一方を選択することができるため、装置構成の簡素化と制御負荷を低減させることができる。
【符号の説明】
【００９７】
１  携帯電話機
１０、２０  ＣＰＵ
１１、２１  記憶部
２２  電話帳
１３  表示部
１３１  メイン表示部
１３２  サブ表示部
１４  操作部
１４１  操作ボタン群
１５  公衆回線用モジュール
１５１  公衆回線用アンテナ
１６  構内回線用モジュール
１６１  構内回線用アンテナ
１７  非接触ＩＣ部
１７１  非接触ＩＣ用アンテナ
１７２  ＣＰＵ
１７３  記憶部
１７４  Ｒ／Ｗ
１８ａ  マイク
１８ｂ  スピーカ
１９  バス
３０  入退場ゲート
【図１】
2010200353.tif 000003
【図２】
2010200353.tif 000004
【図３】
2010200353.tif 000005
【図４】
2010200353.tif 000006
【図５】
2010200353.tif 000007
【図６】
2010200353.tif 000008
【図７】
2010200353.tif 000009
【図８】
2010200353.tif 000010